(57)【要約】【課題】収納部を有効活用できるようにする。【解決手段】画像が印刷されたシートを収納する複数の収納部と、前記収納部に収納されたシートを移動させる移動手段と、前記移動手段によって、前記シートのすべてを完全に排出された際に、その排出されたシートを受け止める第２の排紙トレイと、前記印刷データが優先的に前記収納部に収納する印刷データであるかどうかを判断する第１の判断手段と、前記収納部の全てが満載状態であるかどうかを判断する第２の判断手段と、前記収納部のそれぞれに収納されているシートが収納部に優先的に収納する印刷データであったかどうかを判断する第３の判断手段とを有し、前記第１の判断手段、前記第２の判断手段、前記第３の判断手段が、イエスと判断した場合、前記少なくともひとつ以上の前記収納部に優先的に収納すると指示されていない印刷データのシートを前記移動手段によって前記第２の排紙トレイに排出する。【選択図】図１０
2017030285.tif 000002
【特許請求の範囲】
【請求項１】
ネットワークを介して情報処理装置より印刷データを受信し、受信した印刷データに基づいて印刷処理を実行可能な印刷装置において、
画像が印刷されたシートを収納する複数の収納部と、
前記収納部に収納されたシートを移動させる移動手段と、
前記移動手段によって、前記シートのすべてを完全に排出された際に、その排出されたシートを受けとめる第２の排紙トレイと、
前記印刷データが優先的に前記収納部に収納する印刷データであるかどうかを判断する第１の判断手段と、
前記収納部の全てが満載状態であるかどうかを判断する第２の判断手段と、
前記収納部のそれぞれに収納されているシートが収納部に優先的に収納する印刷データであったかどうかを判断する第３の判断手段とを有し、
前記第１の判断手段が、前記印刷データが優先的に前記収納部に収納する印刷データであると判断し、かつ前記第２の判断手段が、前記収納部の全てが満載状態であると判断し、更に前記第３の判断手段が、前記収納部に収納されているシートの少なくともひとつ以上が前記収納部に優先的に収納すると指示されていない印刷データがあると判断した場合、
前記少なくともひとつ以上の前記収納部に優先的に収納すると指示されていない印刷データのシートを前記移動手段によって前記第２の排紙トレイに排出することを特徴とする印刷装置。
【請求項２】
優先的に収納部に収納しないひとつ以上の印刷データが、本ジョブと同一ユーザであるかどうかを判断する第４の判断手段を有し、
前記第４の判断手段が、優先的に収納部に収納しないひとつ以上の印刷データが、本ジョブと同一ユーザであると判断した場合、前記ひとつ以上の印刷データのシートを前記移動手段によって前記第２の排紙トレイに排出することを特徴とする請求項１に記載の印刷装置。
【請求項３】
ネットワークを介して情報処理装置より印刷データを受信し、受信した印刷データに基づいて印刷処理を実行可能な印刷装置において、
画像が印刷されたシートを収納する複数の収納部と、
前記収納部に収納されたシートを移動させる移動手段と、
前記移動手段によって、前記シートのすべてを完全に排出された際に、その排出されたシートを受けとめる第２の排紙トレイと、
前記印刷データがセキュアプリントを指定の印刷データであるかどうかを判断する第５の判断手段と、
前記収納部の全てが満載状態であるかどうかを判断する第６の判断手段と、
前記収納部のそれぞれに収納されているシートがセキュアプリントを指定の印刷データであったかどうかを判断する第７の判断手段とを有し、
前記第５の判断手段が、前記印刷データがセキュアプリントを指定の印刷データであると判断し、かつ前記第６の判断手段が、前記収納部の全てが満載状態であると判断し、更に前記第７の判断手段が、前記収納部に収納されているシートの少なくともひとつ以上がセキュアプリントを指定の印刷データでないと判断した場合、
前記少なくともひとつ以上のセキュアプリントを指定でない印刷データのシートを前記移動手段によって前記第２の排紙トレイに排出することを特徴とする印刷装置。
【請求項４】
前記セキュアプリントは、前記印刷データのシートを取得する際に、該印刷装置の操作表示部からパスワードの入力を必要とすることを特徴とする請求項３に記載の印刷装置。
【請求項５】
セキュアプリントを指定でないひとつ以上の印刷データが、本ジョブと同一ユーザであるかどうかを判断する第８の判断手段を有し、
前記第８の判断手段が、セキュアプリントを指定でないひとつ以上の印刷データが、本ジョブと同一ユーザであると判断した場合、前記ひとつ以上の印刷データのシートを前記移動手段によって、前記第２の排紙トレイに排出することを特徴とする請求項３に記載の印刷装置。
【請求項６】
情報処理装置と、ネットワークを介して前記情報処理装置より印刷データを受信し、受信した印刷データに基づいて印刷処理を実行可能な印刷装置と、を含む印刷システムであって、
前記情報処理装置は、
印刷データを作成する印刷データ作成手段と、
前記印刷データが印刷装置の収納部に優先的に収納する印刷データであるかどうかをユーザに選択させる選択手段と、
前記印刷装置に対して前記印刷データを送信する送信手段とを有し、
前記印刷装置は、
画像が印刷されたシートを収納する複数の収納部と、
前記収納部に収納されたシートを移動させる移動手段と、
前記移動手段によって、前記シートのすべてを完全に排出された際に、その排出されたシートを受けとめる第２の排紙トレイと、
前記印刷データが優先的に前記収納部に収納する印刷データであるかどうかを判断する第１の判断手段と、
前記収納部の全てが満載状態であるかどうかを判断する第２の判断手段と、
前記収納部のそれぞれに収納されているシートが収納部に優先的に収納する印刷データであったかどうかを判断する第３の判断手段とを有し、
前記第１の判断手段が、前記印刷データが優先的に前記収納部に収納する印刷データであると判断し、かつ前記第２の判断手段が、前記収納部の全てが満載状態であると判断し、更に前記第３の判断手段が、前記収納部に収納されているシートの少なくともひとつ以上が前記収納部に優先的に収納すると指示されていない印刷データがあると判断した場合、
前記少なくともひとつ以上の前記収納部に優先的に収納すると指示されていない印刷データのシートを前記移動手段によって前記第２の排紙トレイに排出することを特徴とする印刷システム。
【請求項７】
情報処理装置と、ネットワークを介して前記情報処理装置より印刷データを受信し、受信した印刷データに基づいて印刷処理を実行可能な印刷装置と、を含む印刷システムであって、
前記情報処理装置は、
印刷データを作成する印刷データ作成手段と、
前記印刷データのシートを取得する際に、パスワードの入力を必要とするセキュアプリントをユーザに選択させる第２の選択手段と、
前記印刷装置に対して前記印刷データを送信する送信手段とを有し、
前記印刷装置は、
画像が印刷されたシートを収納する複数の収納部と、
前記収納部に収納されたシートを移動させる移動手段と、
前記移動手段によって、前記シートのすべてを完全に排出された際に、その排出されたシートを受けとめる第２の排紙トレイと、
前記印刷データがセキュアプリントを指定の印刷データであるかどうかを判断する第５の判断手段と、
前記収納部の全てが満載状態であるかどうかを判断する第６の判断手段と、
前記収納部のそれぞれに収納されているシートがセキュアプリントを指定の印刷データであったかどうかを判断する第７の判断手段とを有し、
前記第５の判断手段が、前記印刷データがセキュアプリントを指定の印刷データであると判断し、かつ前記第６の判断手段が、前記収納部の全てが満載状態であると判断し、更に前記第７の判断手段が、前記収納部に収納されているシートの少なくともひとつ以上がセキュアプリントを指定の印刷データでないと判断した場合、
前記少なくともひとつ以上のセキュアプリントを指定でない印刷データのシートを前記移動手段によって前記第２の排紙トレイに排出することを特徴とする印刷システム。
【請求項８】
ネットワークを介して情報処理装置より印刷データを受信し、受信した印刷データに基づいて印刷処理を実行可能な印刷装置の制御方法であって、
画像が印刷されたシートを収納する複数の収納部に収納されたシートを移動させる移動工程と、
前記移動工程において、前記シートのすべてを完全に排出された際に、その排出されたシートを受けとめる第２の排紙トレイと、
前記印刷データが優先的に前記収納部に収納する印刷データであるかどうかを判断する第１の判断工程と、
前記収納部の全てが満載状態であるかどうかを判断する第２の判断工程と、
前記収納部のそれぞれに収納されているシートが収納部に優先的に収納する印刷データであったかどうかを判断する第３の判断工程とを有し、
前記第１の判断工程において、前記印刷データが優先的に前記収納部に収納する印刷データであると判断し、かつ前記第２の判断工程において、前記収納部の全てが満載状態であると判断し、更に前記第３の判断工程において、前記収納部に収納されているシートの少なくともひとつ以上が前記収納部に優先的に収納すると指示されていない印刷データがあると判断した場合、
前記少なくともひとつ以上の前記収納部に優先的に収納すると指示されていない印刷データのシートを前記移動工程において前記第２の排紙トレイに排出することを特徴とする印刷装置の制御方法。
【請求項９】
ネットワークを介して情報処理装置より印刷データを受信し、受信した印刷データに基づいて印刷処理を実行可能な印刷装置の制御方法であって、
画像が印刷されたシートを収納する複数の収納部に収納されたシートを移動させる移動工程と、
前記移動工程において、前記シートのすべてを完全に排出された際に、その排出されたシートを受けとめる第２の排紙トレイと、
前記印刷データがセキュアプリントを指定の印刷データであるかどうかを判断する第５の判断工程と、
前記収納部の全てが満載状態であるかどうかを判断する第６の判断工程と、
前記収納部のそれぞれに収納されているシートがセキュアプリントを指定の印刷データであったかどうかを判断する第７の判断工程とを有し、
前記第５の判断工程において、前記印刷データがセキュアプリントを指定の印刷データであると判断し、かつ前記第６の判断工程において、前記収納部の全てが満載状態であると判断し、更に前記第７の判断工程において、前記収納部に収納されているシートの少なくともひとつ以上がセキュアプリントを指定の印刷データでないと判断した場合、
前記少なくともひとつ以上のセキュアプリントを指定でない印刷データのシートを前記移動工程において前記第２の排紙トレイに排出することを特徴とする印刷装置の制御方法。
【請求項１０】
請求項１〜５の何れか１項に記載の印刷装置の各手段としてコンピュータを機能させることを特徴とするプログラム。
【請求項１１】
請求項１０に記載のプログラムを記憶したことを特徴とするコンピュータが読み取り可能な記憶媒体。
【発明の詳細な説明】
【技術分野】
【０００１】
本発明は印刷装置、印刷システム及び印刷装置の制御方法に関し、特に、クライアントコンピュータなどから送信される印刷データを元に、シートに画像を印刷する印刷装置に関する。
【背景技術】
【０００２】
従来、シートに画像を印刷する印刷装置は、画像が印刷されたシート（印刷物）を印刷後に装置外に排出していた。また、近年では、印刷後すぐに装置外に印刷物を排出するのではなく、一時的に装置内に溜め置く仕組みが提案されている。
【０００３】
特許文献１に記載の画像形成装置には、装置内に複数のシート収納部が備えられており、印刷物はいずれか１つのシート収納部に一旦収納される。そして、この画像形成装置にはユーザを認証する機能が備えられており、複数のシート収納部に収納された印刷物のうち、認証されたユーザに対応するものが部分的に装置外に露出するように搬送される。ユーザは、部分的に露出した印刷物を引き抜くことにより、自分の印刷物を受け取ることができる。
【０００４】
このような構成とすることによって、印刷物を他人に見られてしまい機密情報が漏洩することを防止しつつ、ユーザが印刷装置の設置場所に到着するよりも前に印刷を開始することで作業効率を向上させることが可能となっている。
【０００５】
特許文献２には、複数の排紙トレイを有するプリンタにおいて、特定の排紙トレイが満載になった際、中断された印刷データの退避方法やトレイの満載が解除された後の該プリンタの動作が説明されている。
【先行技術文献】
【特許文献】
【０００６】
【特許文献１】特開２０１３−２２０９０５号公報
【特許文献２】特開２００１−１３８６０５号公報
【発明の概要】
【発明が解決しようとする課題】
【０００７】
前述したような印刷装置に備えられる各シート収納部は、それぞれ収納可能なシート枚数に上限がある。このため、各収納部のすべてが満載状態になっていると、後続の印刷データの方を優先的に収納部に出力したくても、積載部等に出力されるか、印刷データが該印刷装置内のメモリなどに留め置かれてしまい収納部が有効活用できなくなる、という課題がある。
本発明は前述の問題点に鑑み、収納部を有効活用できるようにすることを目的とする。
【課題を解決するための手段】
【０００８】
本発明の印刷装置は、ネットワークを介して情報処理装置より印刷データを受信し、受信した印刷データに基づいて印刷処理を実行可能な印刷装置において、画像が印刷されたシートを収納する複数の収納部と、前記収納部に収納されたシートを移動させる移動手段と、前記移動手段によって、前記シートのすべてを完全に排出された際に、その排出されたシートを受けとめる第２の排紙トレイと、前記印刷データが優先的に前記収納部に収納する印刷データであるかどうかを判断する第１の判断手段と、前記収納部の全てが満載状態であるかどうかを判断する第２の判断手段と、前記収納部のそれぞれに収納されているシートが収納部に優先的に収納する印刷データであったかどうかを判断する第３の判断手段とを有し、前記第１の判断手段が、前記印刷データが優先的に前記収納部に収納する印刷データであると判断し、かつ前記第２の判断手段が、前記収納部の全てが満載状態であると判断し、更に前記第３の判断手段が、前記収納部に収納されているシートの少なくともひとつ以上が前記収納部に優先的に収納すると指示されていない印刷データがあると判断した場合、前記少なくともひとつ以上の前記収納部に優先的に収納すると指示されていない印刷データのシートを前記移動手段によって前記第２の排紙トレイに排出することを特徴とする。
【発明の効果】
【０００９】
本発明によれば、収納部を有効活用することが可能となり、優先的に収納したいシートを収納部に優先的に収納できるようにすることができる。
【図面の簡単な説明】
【００１０】
【図１】第１の実施形態における印刷装置の概略構成を示す断面図である。
【図２】第１の実施形態におけるシート収納部の概略構成を示す断面図である。
【図３】第１の実施形態におけるシート収納部の概略構成を示す斜視図である。
【図４】第１の実施形態における印刷装置の外観を示す斜視図である。
【図５】第１の実施形態における印刷システムのハードウェア構成の一例を示すブロック図である。
【図６】第１の実施形態における印刷装置の動作を示すフローチャートである。
【図７】第１の実施形態における印刷装置の概略構成を示す断面図である。
【図８】第１の実施形態におけるクライアントコンピュータの内部構成を示すブロック図である。
【図９】第１の実施形態における印刷データを作成する画面の表示例を示す図である。
【図１０】第１の実施形態における印刷装置の動作手順を示すフローチャートである。
【図１１】第２の実施形態における印刷装置の動作手順を示すフローチャートである。
【図１２】第３の実施形態における印刷データを作成する画面の表示例を示す図である。
【図１３】セキュアプリント時の印刷装置の動作手順を示すフローチャートである。
【図１４】第３の実施形態における印刷装置の動作手順を示すフローチャートである。
【発明を実施するための形態】
【００１１】
以下、図面を参照して本発明の実施形態を詳しく説明する。なお、以下の実施形態は特許請求の範囲に係る発明を限定するものでなく、また実施形態で説明されている特徴の組み合わせの全てが発明の解決手段に必須のものとは限らない。
【００１２】
＜第１の実施形態＞
図１に、本発明が適用される印刷装置の一例としてのモノクロデジタルプリンタの断面図を示す。
図１において、１００は印刷データに基づいて印刷処理を実行可能な印刷装置全体を示す。印刷装置１００には、印刷部１０１が収納されている。シート給送部１０２は、印刷部１０１にシートを給送し、定着部１０３は、シートに画像を定着させる。積載部１２４は、印刷装置１００の上面に設けられ、印刷部１０１によって画像が印刷されたシート（印刷物）を積載する。積載部１２４に排出された印刷物は、ユーザ認証等の操作を必要とせずにユーザが取り上げることができる。
【００１３】
シート収納部２０１、２０２、２０３は、印刷部１０１によって画像が印刷されたシート（印刷物）を収納し、印刷部１０１と積載部１２４の間に設けられている。シート収納部２０１、２０２、２０３に収納された印刷物は、ユーザ認証等の操作が行われたことに応じて部分的に装置外に露出するように搬送され、ユーザが引き抜くことができる。なお、ここではシート収納部が３つ備えられている例を示すが、シート収納部の数はこれ以外の数であってもよい。
【００１４】
印刷部１０１は、図１中で時計回りに回転する感光体ドラム１１１と、露光装置１１３と、感光体ドラム１１１の回転方向に沿って配設された帯電ローラ１１２と、現像装置１１４と、転写ローラ１１５とを有している。これらの部材を用いて、印刷部１０１はシート上にトナー像を形成する。
【００１５】
シート給送部１０２は、印刷に用いられるシートが複数枚、積層状態で収納されている給紙カセット１０５、給紙ローラ１０７、搬送ガイド１０９、レジストレーションローラ１１０等を有している。
定着部１０３は、定着ローラ１１６と、この定着ローラ１１６に下方から当接された加圧ローラ１１７と、搬送ローラ１１８とを有している。
印刷部１０１と、定着部１０３と、給紙カセット１０５との間には、シートの表裏両面に画像を印刷する場合に使用されるシートの再搬送通路１２６が設けられている。
【００１６】
搬送ローラ２０４は、第１のシート収納部２０１にシートを搬送する。同様に、搬送ローラ２０５は第２のシート収納部２０２にシートを搬送し、搬送ローラ２０６は第３のシート収納部２０３にシートを搬送する。
【００１７】
搬送路切り替え部材１２０は、図１にて実線で示した第１の位置と、破線で示した第２の位置とに切替え可能である。搬送路切り替え部材１２０は、図１中の実線の位置と破線の位置に不図示のアクチュエータによって切り替え可能な構成となっている。搬送ローラ１２１および反転ローラ１２３は、正逆転可能に設けられ、正回転することでシートを積載部１２４に排出し、逆回転することでシートを再搬送通路１２６へ向けて搬送する。
【００１８】
シートを積載部１２４に向けて搬送する場合には、搬送路切り替え部材１２０が破線で示した位置に切り替えられ、シートは搬送ローラ１２１により排出ガイド１２２に沿って搬送され、反転ローラ１２３により、積載部１２４に排出される。
満載検知レバー１２５は、積載部１２４に積載されているシートの満載を検知する。満載検知レバー１２５により、積載部１２４上のシートが満載であることが検知されると、制御部５０１は、積載部１２４上のシートが取り除かれるまで印刷を行わないように制御する。
【００１９】
また、シートの両面に画像が印刷される場合には、一方の面（表面）にトナー像が定着されたシートが反転ローラ１２３に向かって搬送される。そして、シートの後端が分岐部１２７を抜けた後、搬送ローラ１２１および反転ローラ１２３を逆転させることで、シートはスイッチバックされ、再搬送通路１２６を通過して、印刷部１０１に再搬送される。
【００２０】
シートをシート収納部２０１、２０２、２０３に向けて搬送する場合には、搬送路切り替え部材１２０が実線で示した位置に切り替えられ、シートは搬送路１２８を通ってシート収納部２０１、２０２、２０３に搬送される。
第１の切り替え部材２１１と第２の切り替え部材２１２は、それぞれシートが搬送される経路を切り替える。第１の切り替え部材２１１および第２の切り替え部材２１２は、図１中の実線の位置と破線の位置に不図示のアクチュエータによって切り替え可能な構成となっている。
【００２１】
第１のシート収納部２０１にシートを搬送する場合には、図１中の実線にて示された位置に第１の切り替え部材２１１と第２の切り替え部材２１２がそれぞれ切り替えられ、保持される。そして、画像が印刷されたシートは、搬送路１２８、搬送ガイド２０７、２０８の順に通過し、さらに搬送ローラ２０４によって、第１のシート収納部２０１にフェイスダウン状態、即ちトナー像が印刷された面を下方に向けた状態で収納される。
【００２２】
第２のシート収納部２０２にシートを搬送する場合には、第１の切り替え部材２１１が図１中の実線にて示された位置に、第２の切り替え部材２１２が破線で示された位置にそれぞれ切り替えられ、保持される。そして、画像が印刷されたシートは、搬送路１２８、搬送ガイド２０７、２０９の順に通過し、さらに搬送ローラ２０５によって、第２のシート収納部２０２にフェイスダウン状態、即ちトナー像が印刷された面を下方に向けた状態で収納される。
【００２３】
第３のシート収納部２０３にシートを搬送する場合には、第１の切り替え部材２１１が図１中の破線にて示された位置に切り替えられ、保持される。そして、画像が印刷されたシートは、搬送路１２８、搬送ガイド２１０の順に通過し、さらに搬送ローラ２０６によって、第３のシート収納部２０３にフェイスダウン状態、即ちトナー像が印刷された面を下方に向けた状態で収納される。
【００２４】
シート収納部２０１、２０２、２０３に収納されたシートは、ユーザからの取り出し指示に応じて排出口２３４に搬送される。この搬送の詳細については図２及び図３を用いて後述する。
排出口２３４に搬送されたシートは、部分的に装置外に露出した状態で保持され、ユーザによって引き抜かれるのを待つ。
【００２５】
検知部材１０６は、排出口２３４に搬送されたシートがユーザによって引き抜かれたことを検知する。検知部材１０６は、シートが排出口２３４に搬送される前（及び、搬送されたシートをユーザが引き抜いた後）は図１中の実線の位置にあり、シートが排出口２３４に搬送されてユーザによる引き抜きを待っているときには破線の位置にある。なお、ここではシート収納部２０１、２０２、２０３に共通のものとして１つの排出口２３４を備える例を用いて説明したが、シート収納部毎に専用の排出口をそれぞれ備えるようにしてもよい。
【００２６】
次に、図２を用いて、シート収納部の詳細な構成について説明する。
印刷装置１００の装置内には、複数のシート収納部２０１、２０２、２０３が上下に積み重ねられた状態で備えられている。それぞれのシート収納部の構成は同じであり、ここでは、第１のシート収納部２０１の構成について説明する。
【００２７】
搬送ローラ２０４により第１のシート収納部２０１に搬送されたシートは、積載面２３１に一時的に積載されて収納される。不図示のシート有無検知手段により、積載面２３１上にシートが載置されているか否か（シート収納部が空いているか否か）が検知可能である。
押し出し部材２３３は、収納されているシートの搬送方向上流端部（後端部）を押して、シートの搬送方向下流端部（先端部）の一部を排出口２３４から装置外に露出させる。シートは、押し出し部材２３３により排出口２３４に押し出されることにより、ユーザが引き抜くことが可能となる。
【００２８】
また、押し出し部材２３３によって装置外に露出する部分のシート長さは通常の場合は３０ｍｍであるものとするが、ユーザがシートを掴むことが可能であって、且つ、シートが自重で抜け落ちてしまわない長さであればこれに限らない。また、本実施形態では、後述するように収納部のシート束全てを排出口２３４から第２の排紙トレイ２２０に排出することも可能とする。
【００２９】
印刷装置のシート収納部２０１、２０２、２０３には収納可能なシートの枚数やサイズに制限が設けられている。具体的には、１つのシート収納部には普通紙で一度に１５枚までしか収納できない。シート収納部におけるシートの満載は満載検知レバー２３５を用いて検知されるようになっており、普通紙よりも厚みのあるタイプのシートを用いる場合は収納可能な枚数が少なくなる場合がある。満載検知レバー２３５を備える代わりに、シートを１枚収納する毎に収納済みのシート枚数をカウントアップし、１５枚に達したときに収納（印刷）を制限するように構成してもよい。また、上限枚数は１５枚でなくてもよい。
【００３０】
また、印刷装置のシート収納部２０１、２０２、２０３にはＡ４サイズ以下の大きさのシートが収納可能である。Ａ４サイズよりも大きなサイズ（Ｂ４、Ａ３など）のシートは、積載部１２４には積載可能であるが、印刷装置のシート収納部２０１、２０２、２０３に収納することはできない。
【００３１】
押し出し部材２３３は、第１のシート収納部２０１にシートが収納される際には、シートの搬送及び積載を邪魔しない図２中にて実線で示される積載位置に位置している。
一方、収納されているシートを押し出す際には、シート排出方向に沿って排出口２３４に向かって移動し、破線で示される押し出し位置（シート排出位置）へと移動する。その後、シートがユーザによって引き抜かれたことが検知部材１０６によって検知されると、押し出し部材２３３は積載位置に戻される。
【００３２】
図３（ａ）、（ｂ）は、シート収納部２０１の斜視図である。図３（ａ）は、押し出し部材２３３が積載位置にある場合を示し、図３（ｂ）は押し出し位置にある場合を示す。
押し出し部材２３３は、シート排出にともなうシートの回転を防止するため、シート幅方向にわたってふたつのシート後端押圧爪２３３ａおよび２３３ｂを有している。シートを押し出す際には、シート後端押圧爪２３３ａおよび２３３ｂがシートの上流端部を押圧してシート排出を行う。押し出し部材２３３は、積載位置と押し出し位置の間をシート排出方向に沿って往復移動する。
【００３３】
図４は、印刷装置１００の外観を示す斜視図である。
排出口２３４からは、シート収納部２０１、２０２、２０３のいずれかから排出されたシート束の下流端部が露出している。ユーザは、装置外に露出した下流端部を掴んでシート束を引き抜くことで自分の印刷物を受け取ることができる。
操作表示部３０７は、印刷装置１００に対するユーザからの指示を受け付けるとともに、ユーザに対して各種情報を通知するための操作表示部である。
【００３４】
図５は、実施形態の印刷システムを構成する印刷装置１００のハードウェア構成の一例を示すブロック図である。
ＣＰＵ５０２を含む制御部５０１は、印刷装置１００全体の動作を制御する。本実施形態に記載されている処理は、ＲＯＭ５０３に記録されているプログラムをＲＡＭ５０４に読み込み、ＣＰＵ５０２で逐次実行することによって実現され、印刷動作やシート搬送の制御を行う。
【００３５】
ＲＡＭ５０４は、ＣＰＵ５０２の主メモリ、ワークエリア等の一時記憶領域として用いられる。なお、印刷装置１００は１つのＣＰＵ５０２が１つのメモリ（ＲＡＭ５０４）を用いて後述するフローチャートに示す各処理を実行するものとするが、他の態様であっても構わない。例えば、複数のＣＰＵや複数のＲＡＭを協働させて各処理を実行するようにすることもできる。
【００３６】
操作表示部Ｉ／Ｆ５０５は、操作表示部３０７と制御部５０１を接続する。
操作表示部３０７は、印刷物の取り出し指示を受け付けるための受付部としての役割と、ユーザ認証に必要なユーザＩＤをＩＣカードから読み取るためのカードリーダとしての役割を担う。また、操作表示部３０７は、ユーザに対する通知を行うための画面を表示する表示部としての役割を担う。
【００３７】
印刷部Ｉ／Ｆ５０６は、印刷部１０１と制御部５０１を接続する。印刷部１０１で印刷すべき画像は印刷部Ｉ／Ｆ５０６を介して制御部５０１から転送され、印刷部１０１によりシート上に印刷される。
ネットワークＩ／Ｆ５０７は、印刷装置１００をＬＡＮ（Ｌｏｃａｌ  Ａｒｅａ  Ｎｅｔｗｏｒｋ）５１０に接続する。ＬＡＮ５１０には、端末装置としてクライアントコンピュータ６２０が接続されており、クライアントコンピュータ６２０にインストールされたプリンタドライバによって生成された印刷ジョブをネットワークＩ／Ｆ５０７が受信する。
【００３８】
図６は、印刷装置１００において、クライアントコンピュータ６２０から受信した印刷ジョブに基づいてシートに画像を印刷する動作を説明するフローチャートである。図６のフローチャートに示す各動作（ステップ）は、印刷装置１００の制御部５０１がＲＯＭ５０３に記憶された制御プログラムをＲＡＭ５０４に展開して実行することにより実現される。
【００３９】
図６のＳ６０１では、印刷ジョブを受信したか否かをＣＰＵ５０２が判定する。印刷ジョブを受信したとＣＰＵ５０２が判定した場合はＳ６０２に進み、印刷ジョブを受信していないと判定した場合は受信するまで待機する。
Ｓ６０２では、受信した印刷ジョブにバッファモードが指定されているか否かをＣＰＵ５０２が判定する。印刷装置１００はバッファモードと通常モードの２つのモードを備えており、どちらのモードで印刷するかを、プリンタドライバで指定することができる。なお、バッファモードと通常モード以外のモードを更に備えるようにしてもよい。
【００４０】
バッファモードとは、印刷物をシート収納部２０１、２０２、２０３のいずれかに一時的に収納し、ユーザの取り出し指示に応じて排出口２３４から取り出せるようにするモードである。バッファモードを指定すると、ユーザがクライアントコンピュータ６２０で印刷指示を行った後、印刷装置１００の設置場所に到着するまでの間に他人に印刷物を盗み見られることを防止できる。加えて、印刷装置１００の設置場所に到着する前に印刷が開始されるため、設置場所に到着した後に印刷を開始する構成と比較してユーザの待ち時間を少なくすることができる利点がある。
【００４１】
Ｓ６０２の判定の結果、バッファモードが指定されているとＣＰＵ５０２が判定した場合はＳ６０３に進み、バッファモードで印刷を行う。バッファモードが指定されていない（通常モードが指定されている）と判定した場合はＳ６０４に進む。Ｓ６０４では、受信した印刷ジョブに基づいてシートに画像を印刷し、排出ガイド１２２等を経由させて印刷物を積載部１２４に排出する。積載部１２４に排出された印刷物はユーザ認証を必要とせずに取り上げることができる。
【００４２】
図７では、本発明に関わる第２の排紙トレイ２２０とこれの利用方法について説明する。
図７に、図４で示した排出口２３４から完全に排出されるシートを受けとめる第２の排紙トレイ２２０を示す。図２、図３などでは、押し出し部材２３３がシート収納部２０１〜２０３の全長に対して短い移動距離となっている。しかし、本実施形態では押し出し部材２３３は収納部の全長程度、あるいは排出口２３４の近辺まで移動し、収納部のシート束の全てを第２の排紙トレイ２２０に排出できるものとする。
【００４３】
図８は、本発明が適用される情報処理装置の一例としてのクライアントコンピュータ６２０の内部構成を示すブロック図である。
図８中、８０１はクライアントコンピュータ６２０のハード構成を表している。
クライアントコンピュータ６２０の内部は、中央演算装置（ＣＰＵ)８０３、揮発性メモリであるＲＡＭ８０４、不揮発性メモリであるＲＯＭ８０５により構成される。また、キーボードコントローラ８０６、マウスコントローラ８０７、ビデオコントローラ８０８、外部記憶装置コントローラ８０９、外部メディア装置コントローラ８１０、ネットワークＩ／Ｆコントローラ８１１を有する。
【００４４】
外部メディア装置コントローラ８１０は、アプリケーションやドライバソフトウエアなどを提供する外部メディア(ＣＤ-ＲＯＭやＤＶＤ-ＲＯＭ)などが接続される。ユーザは外部メディア装置コントローラ８１０に接続された読み取り装置にＣＤ-ＲＯＭなどのメディアをセットし、プログラムを読み込むことができる。
【００４５】
通常、クライアントコンピュータ６２０を起動するための初期プログラムやクライアントコンピュータ６２０の各モジュールを制御するための基本的なプログラムはＲＯＭ８０５に保存されている。また、ＯＳやアプリケーション、プリンタドライバは外部記憶装置コントローラ８０９に接続される外部記憶装置などに保存されている。
【００４６】
クライアントコンピュータ６２０の電源が投入されると、まず、ＲＯＭ８０５に保存されているコンピュータを起動するためのプログラム(ブートローダ)が実行される。そして、そのプログラムが外部記憶装置に保存されているＯＳ（Operating System）をＲＡＭ８０４にロードし、その後、制御権をＯＳに渡す。
【００４７】
ＯＳは、必要なモジュールやドライバをさらに外部記憶装置（図示せず）からＲＡＭ８０４に読み込む。さらに、ユーザの指示により、必要なアプリケーションも外部記憶装置などからＲＡＭ８０４に読み込み、ＣＰＵ８０３が実行する。
【００４８】
図９に、印刷装置１００に対して送信する印刷データを作成する、クライアントコンピュータ６２０の印刷データ作成プログラムでの印刷設定画面９０１の設定項目の表示例を表す図である。
図９において、９０２は排紙先に「収納部」を選択した際に、該シート収納部２０１〜２０３に優先的に排出するモードを設定できるスイッチである。
【００４９】
図１０は、本実施形態の印刷装置１００の動作を表すフローチャートである。
図１０のフローチャートに示す各動作（ステップ）はＣＰＵ５０２がＲＯＭ５０３に記憶された制御プログラムをＲＡＭ５０４に展開して実行することにより実現される。
まず、Ｓ１００１で印刷データ作成プログラムを構成する印刷データ内に、「排紙先」として「収納部」が選択されている（バッファモード）かどうかをＣＰＵ５０２が判断する。
【００５０】
バッファモードでないとＣＰＵ５０２が判断した場合には、Ｓ１００８で画像が印刷されたシートを積載部１２４に排出し終了する。
一方、バッファモードである場合には、Ｓ１００２に進んで、全てのシート収納部２０１〜２０３が満載状態であるかどうかをＣＰＵ５０２が判断する。シート収納部２０１〜２０３のうちひとつでも満載でない場合には、Ｓ１００７に進んで受信した印刷データ（図１０では「本ジョブ」と記載）のシートを満載でない収納部に出力する。
【００５１】
一方、Ｓ１００２において、全ての収納部が満載であるとＣＰＵ５０２が判断した場合には、Ｓ１００３に進んで本ジョブはスイッチ９０２がＯｎ、すなわち、収納優先設定となっているかどうかをＣＰＵ５０２が判断する。
スイッチ９０２がＯｎである場合には、次に、Ｓ１００４で全ての収納部に収納されているシートの印刷データがスイッチ９０２がＯｆｆ、つまり優先的に収納部に収納しない印刷データであったかどうかをＣＰＵ５０２が判断する。
【００５２】
いずれのシート収納部に収納された印刷データが優先的に収納するデータ、つまり、スイッチ９０２がＯｎのデータであれば、優先設定された本ジョブを収納するための収納部が無い状態である。このため、Ｓ１００５に進んでシート収納部２０１〜２０３のいずれかの満載状態が解除されるのをＣＰＵ５０２が監視する。
【００５３】
一方、シート収納部２０１〜２０３に収納されているシートの印刷データがスイッチ９０２がＯｆｆ、つまり優先的に収納部に収納しない印刷データがひとつ以上あると判断された場合には、Ｓ１００６に進む。
Ｓ１００６においては、その優先的に収納部に収納しない印刷データの出力シートを第２の排紙トレイ２２０に排出し、その後、Ｓ１００７で本ジョブの出力シートを、Ｓ１００６において排出されたシートが収納されていた収納部に収納し終了する。
Ｓ１００３で本ジョブが優先的に収納部に収納しない印刷データであれば、Ｓ１００８に進んで積載部１２４へ排出する。
【００５４】
＜第２の実施形態＞
次に、本発明の第２の実施形態について説明する。
図１１は、本発明の第２の実施形態に係る印刷装置の動作を表すフローチャートである。
図１１のフローチャートに示す各動作（ステップ）はＣＰＵ５０２がＲＯＭ５０３に記憶された制御プログラムをＲＡＭ５０４に展開して実行することにより実現される。
まず、Ｓ１１０１で印刷データ作成プログラムから受信した印刷データ内に、「排紙先」として「収納部」が選択されている（バッファモード）かどうかをＣＰＵ５０２が判断する。
バッファモードでないとＣＰＵ５０２が判断した場合には、Ｓ１１０９に進んで画像が印刷されたシートを積載部１２４に排出し終了する。
【００５５】
一方、バッファモードである場合には、Ｓ１１０２において、全てのシート収納部２０１〜２０３が満載状態であるかどうかをＣＰＵ５０２が判断する。シート収納部２０１〜２０３のうちひとつでも満載でない場合には、Ｓ１１０８に進んで受信した印刷データ（図１１では「本ジョブ」と記載）のシートを満載でない収納部に出力する。
【００５６】
一方、Ｓ１１０２で全ての収納部が満載であるとＣＰＵ５０２が判断した場合には、次にＳ１１０３で本ジョブがスイッチ９０２がＯｎとなっているかどうかをＣＰＵ５０２が判断する。
スイッチ９０２がＯｎである場合には、Ｓ１１０４で全ての収納部に収納されているシートの印刷データがスイッチ９０２がＯｆｆ、つまり優先的に収納部に収納しない印刷データであったかどうかをＣＰＵ５０２が判断する。
いずれの収納部に収納された印刷データが優先的に収納するデータである場合、つまり、スイッチ９０２がＯｎのデータであれば、優先設定された本ジョブを収納するための収納部が無い状態である。このため、Ｓ１１０５でシート収納部２０１〜２０３のいずれかの満載状態が解除されるのをＣＰＵ５０２が監視する。
【００５７】
一方、シート収納部２０１〜２０３に収納されているシートの印刷データがスイッチ９０２がＯｆｆ、つまり優先的に収納部に収納しない印刷データがひとつ以上あると判断された場合にはＳ１１０６に進む。
Ｓ１１０６では、優先的に収納しないひとつ以上の印刷データが、本ジョブと同一ユーザであるかどうかをＣＰＵ５０２が判断する。
Ｓ１１０６で優先的に収納部に収納しない印刷データが、ひとつも本ジョブと同一ユーザでない場合も優先設定された本ジョブを収納するための収納部が無い状態であるため、Ｓ１１０５に処理を移す。
【００５８】
一方、Ｓ１１０６で優先的に収納部に収納しないひとつ以上の印刷データが、本ジョブと同一ユーザであると判断された場合はＳ１１０７に進む。
Ｓ１１０７では、その優先的に収納部に収納しない（本ジョブと同一ユーザの）印刷データの出力シートを第２の排紙トレイ２２０に排出し、その後、Ｓ１１０８で本ジョブをＳ１１０７で排出されたシートが収納されていた収納部に収納する。
Ｓ１１０３で本ジョブが優先的に収納部に収納しない印刷データであれば、Ｓ１１０９に進んで積載部１２４へ排出する。
【００５９】
＜第３の実施形態＞
次に、本発明の第３の実施形態について説明する。
図１２は、本発明の第３の実施形態に係る印刷装置に対して送信する印刷データを作成する、クライアントコンピュータ６２０の印刷データ作成プログラムでの印刷設定画面１２００の設定項目の表示例を表す図である。
図１２（ａ）の１２０１は印刷されたシートの排紙先を特定する排紙先情報であり、図１２では排紙先が「収納部」であることを示している。
【００６０】
１２０２は、印刷データの出力方法を指定する項目であり、この出力方法として、ユーザの名前やパスワード情報とを照合してから印刷する、「セキュアプリント」が選択されていることを表している。なお、ユーザ名やパスワードは図１２（ｂ）のセキュアプリント詳細画面１２０３にて設定可能であり、この画面は、出力方法としてセキュアプリントが選択された直後などに表示されるものとする。
【００６１】
図１３は、セキュアプリント時の一般的な印刷装置における動作手順を説明するフローチャートである。
図１３のフローチャートに示す各動作（ステップ）はＣＰＵ５０２がＲＯＭ５０３に記憶された制御プログラムをＲＡＭ５０４に展開して実行することにより実現される。
Ｓ１３０１では、受信した印刷データがセキュアプリントを指定するものかどうかをＣＰＵ５０２が判断する。ＣＰＵ５０２により、セキュアプリントでないと判断された場合はＳ１３０４に進んで受信した印刷データを元に、シートに画像を印刷する。
一方、セキュアプリントであると判断された場合は、画像形成動作は行わない。セキュアプリントは、印刷データのシートを取得する際に、パスワードの入力を必要とする。
Ｓ１３０２では、セキュアプリントを送信したユーザによるログイン操作（図示せず）が行なわれる。
【００６２】
Ｓ１３０３では、ユーザによって入力されたパスワードが、セキュアプリントの印刷データ内に含まれるパスワードと一致するかどうかをＣＰＵ５０２が判断する。パスワードが一致していない場合は、Ｓ１３０２に戻り、一致するまでパスワード入力を待つ。パスワードが一致していたと判断した場合には、Ｓ１３０４に進んで受信した印刷データに基づいて、シートに画像を形成する。なお、ユーザによるパスワード入力は、操作表示部３０７からユーザが入力する。
【００６３】
図１４は、本発明の第３の実施形態に係る印刷装置の動作手順を説明するフローチャートである。
図１４のフローチャートに示す各動作（ステップ）はＣＰＵ５０２がＲＯＭ５０３に記憶された制御プログラムをＲＡＭ５０４に展開して実行することにより実現される。
まず、Ｓ１４０１では、前述した印刷データ作成プログラムから受信した印刷データ内に、「排紙先」として「収納部」が選択されている（バッファモード）かどうかをＣＰＵ５０２が判断する。
【００６４】
バッファモードでないとＣＰＵ５０２が判断した場合には、Ｓ１４０９に進んで画像が印刷されたシートを積載部１２４に排出し終了する。
一方、バッファモードである場合には、Ｓ１４０２に進み、全てのシート収納部２０１〜２０３が満載状態であるかどうかをＣＰＵ５０２が判断する。ひとつでも収納部が満載でない場合には、Ｓ１４０８に進んで受信した印刷データ（図１４では「本ジョブ」と記載）のシートを満載でない収納部に出力する。
【００６５】
一方、Ｓ１４０２で全ての収納部が満載であるとＣＰＵ５０２が判断した場合には、Ｓ１４０３において、本ジョブがセキュアプリントになっている印刷データかどうかをＣＰＵ５０２が判断する。
セキュアプリントである場合には、Ｓ１４０４において、全てのシート収納部に収納されているシートの印刷データのうち、セキュアプリントでない印刷データであったかどうかをＣＰＵ５０２が判断する。
【００６６】
シート収納部２０１〜２０３に収納された印刷データが何れもセキュアプリントのデータであれば、セキュアプリント設定された本ジョブを収納するための収納部が無い状態である。このため、Ｓ１４０５において、シート収納部２０１〜２０３のいずれかの満載状態が解除されるのをＣＰＵ５０２が監視する。
【００６７】
一方、Ｓ１４０４においてシート収納部２０１〜２０３に収納されているシートの印刷データのうち、セキュアプリントでない印刷データがひとつ以上あると判断された場合には、Ｓ１４０６に進む。
Ｓ１４０６でセキュアプリントでないひとつ以上の印刷データが、本ジョブと同一ユーザであるかどうかをＣＰＵ５０２が判断する。セキュアプリントでないひとつ以上の印刷データにおいて、ひとつも本ジョブと同一ユーザでない場合はセキュアプリント設定された本ジョブを収納するための収納部が無い状態であるため、Ｓ１４０５に処理を移す。
【００６８】
一方、Ｓ１４０６で、セキュアプリントでないひとつ以上の印刷データが、本ジョブと同一ユーザであると判断された場合はＳ１４０７に進む。Ｓ１４０７において、そのセキュアプリントでない（本ジョブと同一ユーザの）印刷データの出力シートを第２の排紙トレイ２２０に排出する。
次に、Ｓ１４０８で本ジョブの出力シートを、Ｓ１４０７において排出されたシートが収納されていた収納部に収納し終了する。
【００６９】
Ｓ１４０３で本ジョブがセキュアプリントでない印刷データであるとＣＰＵ５０２が判断すれば、Ｓ１４０９に進んで画像が印刷されたシートを積載部１２４へ排出する。
本実施形態は、第２の実施形態と同様に、収納部に出力されていたジョブのオーナー（印刷データの送信者）と本ジョブのオーナーとが同一かどうかの判断を入れて説明している。しかし、第１の実施形態と同様に、ジョブのオーナーの同一性を比較する判断はなくてもよい。
【００７０】
（その他の実施形態）
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００７１】
１００    印刷装置
１０１    印刷部
１２３    反転ローラ
１２４    積載部
２０１、２０２、２０３  シート収納部
２２０    第２の排紙トレイ
２３３    押し出し部材
２３４    排出口
３０７    操作表示部
５０２    ＣＰＵ
５０３    ＲОＭ
５０４    ＲＡＭ
５１０    ＬＡＮ
６２０    クライアントコンピュータ
８０３    ＣＰＵ
８０４    ＲＡＭ
８０５    ＲОＭ
９０１、１２０１  印刷データ作成プログラム
９０２    スイッチ（収納優先設定）
１２０２  印刷データの出力方法を指定する項目
１２０３  セキュアプリント詳細設定画面
【図１】
2017030285.tif 000003
【図２】
2017030285.tif 000004
【図３】
2017030285.tif 000005
【図４】
2017030285.tif 000006
【図５】
2017030285.tif 000007
【図６】
2017030285.tif 000008
【図７】
2017030285.tif 000009
【図８】
2017030285.tif 000010
【図９】
2017030285.tif 000011
【図１０】
2017030285.tif 000012
【図１１】
2017030285.tif 000013
【図１２】
2017030285.tif 000014
【図１３】
2017030285.tif 000015
【図１４】
2017030285.tif 000016